(57)【要約】【課題】  トイレ用団扇はその置き場所に困ることであり、その衛生的管理、使用が持続しては保障し難いことである。【解決手段】  トイレットペーパー幅よりも充分に大きい一枚の板紙またはプラスチック板から形成され、その持ち手部分がトイレットペーパー幅と略等しい幅の略矩形状であり、かつこの持ち手部分がトイレットペ−パーホルダーの蓋と壁面設置部分の隙間に着脱自在に差込み保持できる差込み片に形成されていることを特徴とするトイレットペーパーホルダーにセットできる団扇。【選択図】  図５
2005027953.tif 000002
【特許請求の範囲】
【請求項１】
トイレットペーパー幅よりも充分に大きい一枚の板紙またはプラスチック板から形成され、その持ち手部分がトイレットペーパー幅と略等しい幅の略矩形状であり、かつこの持ち手部分がトイレットペ−パーホルダーの蓋と壁面設置部分の隙間に着脱自在に差込み保持できる差込み片に形成されていることを特徴とするトイレットペーパーホルダーにセットできる団扇。
【請求項２】
持ち手部分またはその近傍に指掛け孔をあけた請求項１記載の団扇。
【請求項３】
トイレットペーパー幅よりも充分に大きい径を有する略円形の団扇本体と該団扇本体の１側弦部よりトイレットペーパー幅と略等幅の矩形状に延長突出した手持ち部分とからなり、上記の弦部または矩形状の延長突出部の中央位置に指掛け孔を設けた請求項１または２記載の団扇。
【請求項４】
団扇本体および／または手持ち部分の表面および／または裏面にデザインまたはメッセージその他の表示を印刷した請求項１から３までのいずれか１項記載の団扇。
【請求項５】
トイレットペーパーロールを実装した包装体に内装または外装される団扇である請求項１から４までのいずれか１項記載の団扇。
【発明の詳細な説明】
【技術分野】
【０００１】
本発明は、トイレットペーパーと組合わせて流通され、またトイレットペーパーホルダーにセットできる団扇に関する。
【背景技術】
【０００２】
夏場など気温の高いときなどトイレ内は冷房が利き難いこともあり、手軽に涼を取るためには団扇が使用されることがある。従来のものをトイレに持ち込んでも、置き場所に困ることがあり、簡易に使用できるものが望まれていた。
【特許文献１】実開平０４−４０８１６号公報
【特許文献２】実開昭６３−１４２１１１号公報
【特許文献３】実開昭６１−１８４４２０号公報
【特許文献４】実開昭６２−１６６７１９号公報
【特許文献５】特開平８−１９１７０５号公報
【特許文献６】特開平７−８３１４号公報
【特許文献７】特開平８−２５２１０８号公報
【特許文献８】特開２００２−３３７９５７号公報
【特許文献９】特開平８−１８２５２３号公報
【特許文献１０】特開２００３−６１７２６号公報
【特許文献１１】登録実用新案公報第３００２７３０号公報
【発明の開示】
【発明が解決しようとする課題】
【０００３】
解決しようとする問題点は、トイレ用団扇はその置き場所に困ることであり、その衛生的管理、使用が持続しては保障し難いことである。
【課題を解決するための手段】
【０００４】
本発明は、一枚の板紙やプラスチック板から形成される団扇の持ち手部分をトイレットペーパー幅とほぼ等しい幅（１１４ｍｍ前後）の略矩形状としてこの部分をトイレットペーパーホルダーの蓋と壁面設置部分のすきまに差し込めるようにしたことを最も主要な特徴とする。また本発明はこの持ち手部分には指を掛ける孔をあけ、団扇の持ち手としての使い勝手を良くしていることも特徴である。
また団扇の表面（団扇本体および持ち手部分の表面および裏面を含む）には設置空間を快適にするデザインやメッセージなどを印刷することも特徴である。
【発明の効果】
【０００５】
（１）本発明の団扇はホルダーにセットできるので置き場所に困ることがない。また、新たに設置のための切り込み等を設ける必要がなく、使いやすさを阻害しない。
（２）本発明の団扇は床などに置く場合にくらべ衛生的である。
（３）本発明の団扇は１枚の板紙等から打ち抜く形成により、コスト面からも販促用として好ましい。また、数枚を１セットとして、表裏もあわせて様々なデザインを楽しむことも可能である。
（４）本発明の団扇はトイレットペーパーと組合わせて流通させることによりトイレット用団扇の衛生的管理、使用が持続して保障される。
（５）本発明の団扇はその持ち手部分がトイレットペーパー幅と略等幅の矩形であるのでトイレットペーパーの蓋とその壁面設置部分との隙間に着脱自在かつ安定的に挿入できる。
（６）本発明の団扇はその団扇本体がトイレットペーパー幅よりも十分に大きくなっているので、トイレットペーパーホルダーに差し込みセットした場合、団扇本体がトイレットペーパーホルダー上に安定的に起立保持されるので、団扇のトイレットペーパーホルダーからの取出し、収納が容易であり団扇表裏のデザインやメッセージ等の展示、表示効果が大きい。
（７）本発明の団扇は略円形本体の一側に矩形状の手持ち片を延長突出した簡単な平面形状であるので、トイレットペーパー包装品中にトイレットペーパーと共に包装強度に影響を与えることなく内装できる。
【発明を実施するための最良の形態】
【０００６】
以下に本発明の実施例を示すが、本発明はこれによって何ら制約されるものではない。
【実施例１】
【０００７】
図１は団扇の外観図で略円形の本体（１）とその一側弦部より延長突出した矩形状の持ち手部分（２）とからなっており本体（１）の表面（または裏面）にはデザイン（３）が印刷されている。図２はトイレットペーパーホルダーの外観図で、（４）はトイレットペーパーホルダーの蓋、（５）はトイレットペーパーホルダーの壁面設置部分を示す。（６）はトイレットペーパーである。矢部（７）は団扇の持ち手部分（２）を装着する位置を示している。
【実施例２】
【０００８】
図４は団扇の形状側を示し、団扇本体（１）はトイレットペーパー幅（１１４ｍｍ前後）よりも充分に大きい径１８０〜２００ｍｍφを有し、持ち手部分（２）の幅はトイレットペーパー幅と略等しい幅の１００〜１２０ｍｍに設定される。
指掛け孔（７）は矩形状の持ち手部分（２）または持ち手部分（２）と本体（１）との境界の弦部の幅方向中央位置に設けられるがその径は３０ｍｍφが適当である。
持ち手部分（２）の矩形下線両端は角取り（８）を施し、後述のトイレットペーパーロール包装の場合の包装破れのおそれを防止してある。
図５はトイレット用団扇をトイレットペーパーホルダーにセットしてある使用例を示している。
【実施例３】
【０００９】
図６はトイレットペーパーロール（６）を実装した包装袋中にその側面や底面あるいは天面に団扇を内装する状態を示している。
図７はトイレットペーパーロール（６）を実装した包装体に団扇を包装した包装体を添付する例を示している。
【図面の簡単な説明】
【００１０】
【図１】団扇外観図
【図２】トイレットペーパーホルダーの外観図
【図３】団扇のトイレットペーパーホルダーへの装着例示図
【図４】団扇の形状例示図
【図５】団扇のトイレットでの使用例示図
【図６】団扇のトイレットペーパーロール包装体への取付け例示図
【図７】図６の他の例示図
【符号の説明】
【００１１】
１……団扇本体
２……持ち手部分
３……デザイン印刷
４……トイレットペーパーホルダーの蓋
５……トイレットペーパーホルダーの壁面設置部分
６……トイレットペーパーロール
７……指掛け孔
８……角とり
【図１】
2005027953.tif 000003
【図２】
2005027953.tif 000004
【図３】
2005027953.tif 000005
【図４】
2005027953.tif 000006
【図５】
2005027953.tif 000007
【図６】
2005027953.tif 000008
【図７】
2005027953.tif 000009